(57)【要約】【課題】  バックライトを備える表示制御装置において、スクリーンセーバー映像の表示画面に遷移してから元の表示画面へ復帰するまで、バックライト温度を安定させることができる表示制御装置を提供する。【解決手段】  映像信号に基づいて、映像を表示する表示手段と、発光輝度を制御可能な発光手段と、映像信号に基づいて、発光手段の発光を制御する制御手段と、を備え、所定の映像を表示するモードに遷移した場合に、制御手段は、所定の映像を表示させる所定の映像信号に基づくことなく、発光手段の発光輝度を制御することを特徴とする表示装置。【選択図】  図１
2014044292.tif 000002
【特許請求の範囲】
【請求項１】
映像信号に基づいて、映像を表示する表示手段と、
発光輝度を制御可能な発光手段と、
前記映像信号に基づいて、前記発光手段の発光を制御する制御手段と、
を備え、
所定の映像を表示するモードに遷移した場合に、前記制御手段は、前記所定の映像を表示させる所定の映像信号に基づくことなく、前記発光手段の発光輝度を制御することを特徴とする表示装置。
【請求項２】
前記発光手段は、発光輝度をそれぞれ独立に制御可能な制御領域からなることを特徴とする請求項１に記載の表示装置。
【請求項３】
前記所定の映像を表示するモードとは、ユーザによる操作が所定期間ない場合に、前記所定の映像を前記表示手段に表示するモードであることを特徴とする請求項１または２に記載の表示装置。
【請求項４】
映像処理装置からの映像信号を入力する入力手段をさらに備えることを特徴とする請求項１から３のいずれか１項に記載の表示装置。
【請求項５】
前記制御手段は、ユーザ操作によって設定された画質モードに応じて、前記発光手段の発光を制御することを特徴とする請求項１から４のいずれか１項に記載の表示装置。
【請求項６】
前記制御手段は、前記所定の映像が前記表示装置に表示されてから所定期間が経過した後に、前記所定の映像信号に基づいて、前記所定の映像に対する前記発光手段の発光を制御することを特徴とする請求項１から５のいずれか１項に記載の表示装置。
【請求項７】
前記所定の映像とは、黒色の映像もしくはアニメーションの映像であることを特徴とする請求項１から６のいずれか１項に記載の表示装置。
【請求項８】
前記所定の映像の前に表示される映像とは、静止画コンテンツに基づく映像であることを特徴とする請求項１から７のいずれか１項に記載の表示装置。
【請求項９】
発光輝度を制御可能な発光手段を備える表示装置の制御方法であって、
映像信号に基づいて、映像を表示する表示工程と、
前記映像信号に基づいて、前記発光手段の発光を制御する制御工程と、
を有し、
前記制御工程では、所定の映像を表示するモードに遷移した場合に、前記所定の映像を表示させる所定の映像信号に基づくことなく、前記発光手段の発光輝度を制御することを特徴とする表示装置の制御方法。
【請求項１０】
前記発光手段は、発光輝度をそれぞれ独立に制御可能な制御領域からなり、前記制御工程では、前記発光手段に対する発光輝度を前記制御領域毎に制御することを特徴とする請求項９に記載の表示装置の制御方法。
【請求項１１】
前記所定の映像を表示するモードとは、ユーザによる操作が所定期間ない場合に、前記表示工程において前記所定の映像を表示するモードであることを特徴とする請求項９または１０に記載の表示装置の制御方法。
【請求項１２】
映像処理装置からの映像信号を入力する入力工程をさらに備えることを特徴とする請求項９から１１のいずれか１項に記載の表示装置の制御方法。
【請求項１３】
前記制御工程では、ユーザ操作によって設定された画質モードに応じて、前記発光手段の発光を制御することを特徴とする請求項９から１２のいずれか１項に記載の表示装置の制御方法。
【請求項１４】
前記制御工程では、前記所定の映像が前記表示装置に表示されてから所定期間が経過した後に、前記所定の映像信号に基づいて、前記所定の映像に対する前記発光手段の発光を制御することを特徴とする請求項９から１３のいずれか１項に記載の表示装置の制御方法。
【請求項１５】
前記所定の映像とは、黒色の映像もしくはアニメーションの映像であることを特徴とする請求項９から１４のいずれか１項に記載の表示装置の制御方法。
【請求項１６】
前記所定の映像の前に表示される映像とは、静止画コンテンツに基づく映像であることを特徴とする請求項９から１５のいずれか１項に記載の表示装置の制御方法。
【発明の詳細な説明】
【技術分野】
【０００１】
本発明は、表示装置及びその制御方法に関する。
【背景技術】
【０００２】
近年、液晶を用いた表示装置（液晶表示装置）において、画面を複数の領域に分割することにより得られる制御領域毎に、入力映像信号に応じて、ＬＥＤなどの光源から構成されるバックライトの発光輝度を制御する技術がある。また、制御領域毎に、入力映像信号に応じてバックライトの発光輝度を制御すると共に、該発光輝度のレベルに応じて映像信号を補正する技術がある。これらの技術はローカルディミングと呼ばれ、ローカルディミング技術を用いることで表示映像のコントラストを向上することができ、黒浮きを抑制することができる。
【０００３】
ローカルディミングに関する従来技術は、例えば、特許文献１に開示されている。具体的には、特許文献１には、バックライトが点灯されたブロックに隣接する一定幅の領域において、上記バックライトが点灯されたブロックでの発光輝度より低い発光輝度で発光させることが開示されている。特許文献１に開示の技術を用いることにより、不自然な黒浮きの発生を抑制することができる。
【０００４】
ところで、医療現場では、Ｘ線装置やＭＲＩ装置などの医用診断装置により撮影された診断画像を用いる診断（画像診断）が行われる。従来は、この診断画像をＸ線フイルムなどの画像記録フイルムに出力していたが、これでは画像記録フイルムのコストがかかってしまう。さらに、画像診断時において診断画像が多い場合には、画像記録フイルムの枚数も多くなり、画像診断を効率的に行うことができない、といった問題なども発生していた。そこで、近年では、これらの問題を解決するために、診断画像を画像記録フイルムに出力するのではなく、診断画像データを液晶ディスプレイなどのディスプレイに出力して、診断画像をディスプレイに表示させる場合が増加している。
【０００５】
また、患者の個人情報を多数扱っている医療現場では、プライバシーやセキュリティーの観点から、スクリーンセーバー機能をコンピュータにインストールしている場合が多い。スクリーンセーバー機能とは、ユーザがコンピュータを使用していないときには、表示画面に黒色の映像（黒映像）を表示させたり、簡単なアニメーションなどを表示させる機能である。なお、以下では、スクリーンセーバー機能により表示される黒映像やアニメーションなどの映像をスクリーンセーバー映像と呼ぶ。
【０００６】
このようなスクリーンセーバー機能をインストールしているコンピュータを用いて画像診断をする際、画像診断中に一定時間コンピュータの操作をしない場合がある。このような場合、ユーザの意図に反して、診断画像が表示される画面からスクリーンセーバー映像が表示される画面へと、ディスプレイの表示画面が切り替わることがある。そうなると、ユーザは、マウスの操作やキーボードの入力などによって再度、診断画像が表示される画面に復帰させる場合がある。
【先行技術文献】
【特許文献】
【０００７】
【特許文献１】特開２００８−５１９０５号公報
【発明の概要】
【発明が解決しようとする課題】
【０００８】
しかしながら、特許文献１に記載のローカルディミング制御技術では、ディスプレイに入力された映像信号に合わせて、即時にバックライト輝度を変化させる。そのため、スクリーンセーバー映像が表示される場合においても、スクリーンセーバー映像の映像信号に合わせて、バックライト輝度を変更させることになる。そうなると、例えば、バックライト輝度が明るい診断画像から、バックライト輝度が低い黒色のスクリーンセーバー映像に遷移する場合には、バックライトの光源の温度は高い状態から、低い状態に下がる。バックライトの光源の温度が低いと、診断画像の画質が安定しない。このように、スクリーンセーバーにより一旦温度が下がってしまうと、バックライトの光源の温度が、診断画像の画質が安定する高い温度に戻るまでには時間を要してしまう。さらに、画質が安定するまでの間は、診断画像の画質が不安定な状態であり、画像診断の精度が落ちてしまう。
【０００９】
本発明は、バックライト制御を行う表示装置において、表示映像がスクリーンセーバー映像へ切り替わった後に、再び元の表示映像に復帰する場合に、復帰後の表示映像の画質を向上させることを目的とする。
【課題を解決するための手段】
【００１０】
本発明は、映像信号に基づいて、映像を表示する表示手段と、
発光輝度を制御可能な発光手段と、
前記映像信号に基づいて、前記発光手段の発光を制御する制御手段と、
を備え、
所定の映像を表示するモードに遷移した場合に、前記制御手段は、前記所定の映像を表示させる所定の映像信号に基づくことなく、前記発光手段の発光輝度を制御することを特徴とする表示装置である。
【００１１】
本発明は、発光輝度を制御可能な発光手段を備える表示装置の制御方法であって、
映像信号に基づいて、映像を表示する表示工程と、
前記映像信号に基づいて、前記発光手段の発光を制御する制御工程と、
を有し、
前記制御工程では、所定の映像を表示するモードに遷移した場合に、前記所定の映像を表示させる所定の映像信号に基づくことなく、前記発光手段の発光輝度を制御することを特徴とする表示装置の制御方法である。
【発明の効果】
【００１２】
本発明によれば、バックライト制御を行う表示装置において、表示映像がスクリーンセーバー映像へ切り替わり、その後、再び元の表示映像に復帰する場合に、復帰後の表示映像の画質を向上させることができる。
【図面の簡単な説明】
【００１３】
【図１】第１の実施例における映像処理装置と表示制御装置のシステム構成を示すブロック図
【図２】第１の実施例における映像処理装置の動作を説明するためのフローチャート
【図３】第１の実施例における表示制御装置のバックライト輝度選択処理を説明するためのフローチャート
【図４】第２の実施例における映像処理装置と表示制御装置の構成を示すブロック図
【図５】第２の実施例における映像処理装置の動作を説明するためのフローチャート
【図６】第２の実施例における表示制御装置のバックライト輝度選択処理を説明するためのフローチャート
【図７】実施例におけるバックライトの構成例を示す図
【発明を実施するための形態】
【００１４】
＜実施例１＞
以下、本発明の実施例１に係る表示装置及びその制御方法について説明する。図１は、本発明を適用した映像処理装置と表示制御装置からなるシステム構成を示すブロック図である。図１で示されるように、ＰＣ（Ｐｅｒｓｏｎａｌ  Ｃｏｍｐｕｔｅｒ）などの映像処理装置１００は、ＤＶＩ（Ｄｉｇｉｔａｌ  Ｖｉｓｕａｌ  Ｉｎｔｅｒｆａｃｅ）などの映像信号線１０２を介して表示制御装置１０１と接続される。映像処理装置１００は、表示制御装置１０１へ映像信号を出力する。表示制御装置１０１は、映像処理装置１００から出力された映像信号に基づいて、液晶パネル２１８、および、発光輝度を制御可能な発光手段であるバックライト２１９からなる表示部１０４を制御し、映像を表示させる。具体的には、表示部１０４は透過型液晶パネルを使用した表示器である。表示装置は、表示制御装置１０１と表示部１０４から構成される。表示部１０４は、入力された映像信号に基づき順次液晶パネル２１８を駆動し、バックライト２１９からの光の透過率を画素毎に調節することによって、映像を表示する。表示部１０４の表示領域は、後述のバックライト２１９の制御領域８０１の各々に対応する２以上の分割エリアに分割される。映像処理装置１００と表示制御装置１０１は、ＵＳＢ（Ｕｎｉｖｅｒｓａｌ  Ｓｅｒｉａｌ  Ｂｕｓ）や、ＤＶＩのＤＤＣ（Ｄｉｓｐｌａｙ  Ｄａｔａ  Ｃｈａｎｎｅｌ）などのデータ信号線１０３を介して、データ通信を行う。なお、本実施例では、静止画コンテンツに基づく映像を表示させる場合を例示する。
【００１５】
図７は、本実施例におけるバックライト２１９の構成例を示す図である。バックライト２１９は、図７に示されるように、光源として赤色、緑色、青色のＬＥＤ（Ｌｉｇｈｔ  Ｅｍｉｔｔｉｎｇ  Ｄｉｏｄｅ）８００を用い、マトリックス状に複数の制御領域８０１に分割される。ここでは、１つの制御領域８０１には、１個の赤色のＬＥＤ、１個の青色のＬＥＤ、２個の緑色のＬＥＤが配置される。バックライト２１９は、制御領域８０１毎に、後述する点灯制御部２１５によって、独立に発光が制御される。
【００１６】
映像処理装置１００は、後述する操作検出部２００、モード変更部２０１、モード管理部２０２、通信制御部２０３、映像生成部２０４および映像出力部２０５を備える。表示制御装置１０１は、後述する通信制御部２０６、画質モード設定部２０７、バックライト輝度決定部２０８、映像入力部（入力手段）２０９、画質制御部２１０、バックライト輝度制御部（制御手段）２１２、映像信号補正部２１３、映像出力部２１４および点灯制御部２１５を備える。
【００１７】
ここで、映像処理装置１００の各処理ブロックの機能について説明する。操作検出部２００は、ＵＳＢで接続されたマウス、キーボード（不図示）などによるユーザ操作を検出する。そして、操作検出部２００は、一定時間（所定期間）ユーザ操作が無い場合、無操作情報をモード変更部２０１へ出力する。操作検出部２００は、無操作情報の出力後に、ユーザ操作を検出した場合、モード変更部２０１へユーザ操作の再開に関する情報（操作再開情報）を出力する。このように、操作検出部２００は、モード変更部２０１に対して、ユーザ操作に関する情報を出力する。
【００１８】
モード変更部２０１は、無操作情報が入力される場合、モード管理部２０２に対して、スクリーンセーバー映像の生成を開始するように指示を行う。また、モード変更部２０１は、操作再開情報が入力される場合、モード管理部２０２に対して、スクリーンセーバー映像の生成を終了するように指示を行う。なお、スクリーンセーバー映像とは、簡単なアニメーションや黒色の映像（黒映像）などである。そして、モード管理部２０２は、モード変更部２０１から、スクリーンセーバー映像の生成の開始指示を受けると、スクリーンセーバーモードがオンであるという情報を通信制御部２０３に対して通知する。さらに、モード管理部２０２は、モード変更部２０１から、スクリーンセーバー映像の表示の終了指示を受けると、スクリーンセーバーモードがオフであるという情報を通信制御部２０３に対して通知する。つまり、モード管理部２０２は、スクリーンセーバーモードのオン／オフに関する情報（以下、それぞれの情報をオン情報、オフ情報という）を、通信制御部２０３に対して通知する。通信制御部２０３は、データ信号線１０３を介して、映像処理装置１００のスクリーンセーバーモードのオン／オフに関する情報を、表示制御装置１０１側の通信制御部２０６へ送信する。
【００１９】
スクリーンセーバーモードのオン遷移時には、モード管理部２０２は、スクリーンセーバーモードのオン情報を通信制御部２０３に対して通知した後、スクリーンセーバー映像の映像信号を生成するように、映像生成部２０４に指示を出力する。その後、映像生成部２０４はスクリーンセーバー映像の映像信号を生成して、映像出力部２０５に出力する。その後、映像出力部２０５は、当該映像信号を映像信号線１０２を介して、表示制御装置１０１の映像入力部２０９に出力する。
【００２０】
スクリーンセーバーモードのオフ遷移時には、モード管理部２０２は、スクリーンセーバーモードのオフ情報を通信制御部２０３に対して通知後、表示制御装置１０１へのスクリーンセーバー映像の出力を停止するように映像出力部２０５に対して要求する。映像出力部２０５は、表示制御装置１０１へのスクリーンセーバー映像の出力を停止した後、映像出力部２０５からの元の表示映像の映像信号を表示制御装置１０１へ出力する。なお、ここで、元の表示映像の映像信号とは、スクリーンセーバーモードへの遷移前に、映像処理装置１００から表示制御装置１００に出力されていた映像信号のことである。言い換えれば、元の表示映像の映像信号とは、スクリーンセーバーモードへの遷移前に、表示部１０４に表示されていた映像の映像信号である。
【００２１】
映像生成部２０４は、内蔵メモリ等に保存している画像ファイルもしくは外部メモリから入力される画像ファイルをデコード処理して映像信号を生成する。そして、映像生成部２０４は、当該映像信号を映像出力部２０５に出力する。その後、当該映像信号が、映像出力部２０５から、表示制御装置１０１の映像入力部２０９に出力される。そして、表示制御装置１０１において所定の処理がなされた後に、当該映像信号に基づく映像が、表示部１０４に表示される。
【００２２】
また、映像生成部２０４は、モード管理部２０２からの指示だけではなく、操作検出部２００から直接出力されるユーザ操作信号に基づいて、映像信号を生成する。当該映像信号に基づいて、ユーザが表示させたい映像が表示部１０４に表示される。
【００２３】
次に、表示制御装置１０１の各処理ブロックの機能について説明する。通信制御部２０６は、受信したスクリーンセーバーモードのオン情報をバックライト輝度決定部２０８へ通知する。画質モード設定部２０７は、例えばＯＳＤ（Ｏｎ  Ｓｃｒｅｅｎ  Ｄｉｓｐｌａｙ）などの操作画面を介して、ユーザ操作によって設定された画質モードを、画質制御部２１０へ出力する。また、画質モード設定部２０７は、設定された画質モードをバックライト輝度決定部２０８へ出力する。ここで、画質モードとは、例えばテキスト表示モードや静止映像表示モード、医療コンテンツ表示モードなどがあり、それぞれの表示に対して最適な画質処理を行うために設定されるモードである。なお、ここでの医療コンテンツ表示モードとは、例えばＤＩＣＯＭ（Ｄｉｇｉｔａｌ  Ｉｍａｇｉｎｇ  ａｎｄ  Ｃｏｍｍｕｎｉｃａｔｉｏｎ  ｉｎ  Ｍｅｄｉｃｉｎｅ）  ｐａｒｔ１４規格に準拠した画質モードである。ＤＩＣＯＭは、医用映像を診断するのに適切な階調特性を保証する画質モードである。
【００２４】
バックライト輝度決定部２０８は、通信制御部２０６を介して入力されたスクリーンセーバーモードのオン情報と、画質モード設定部２０７から入力される画質モードとに従い、スクリーンセーバー映像に対する発光輝度を決定する。具体的には、バックライト輝度決定部２０８は、後述するバックライト輝度制御部２１２が備える第１のバックライト輝度情報と第２のバックライト輝度情報のどちらか一方を選択し、バックライトの発光輝度を決定する制御を行う。
【００２５】
映像入力部２０９は、入力した映像信号を画質制御部２１０へ出力する。画質制御部２１０は、画質モード設定部２０７で設定された画質モードに従い、入力された映像信号に対して、高画質化処理などの所望の映像信号処理を適用する。その後、画質制御部２１０は、映像信号補正部２１３へ映像信号を出力する。バックライト輝度制御部２１２は、第１のバックライト輝度情報記憶部２１６（第１記憶部２１６）と第２のバックライト輝度情報記憶部２１７（第２記憶部２１７）を備える。バックライト輝度制御部２１２は、入力される映像信号に基づいて、制御領域における全ての領域のバックライト輝度を算出する。ここで算出されるバックライト輝度の情報は、第１記憶部２１６に記憶される第１のバックライト輝度情報である。なお、本実施例では、映像信号に黒信号が含まれる場合であっても、表示映像に生じる違和感を防止するため、黒信号に対応するバックライトの輝度は０としない。ここでは、黒信号に対応するバックライトの輝度は、例えば白信号の５分の１程度の輝度とする。
【００２６】
また、バックライト輝度制御部２１２は、バックライト輝度決定部２０８からの指示に従って、バックライト輝度情報を切り換え、点灯制御部２１５へ出力する。ここで、バックライト輝度情報とは、前述した第１のバックライト輝度情報と、第２記憶部２１７に記憶される第２のバックライト輝度情報とを備える。第２のバックライト輝度情報とは、スクリーンセーバー映像が表示制御装置１０１に入力される直前まで、表示制御装置１０１に入力されていた映像信号に基づく映像信号の第１のバックライト輝度情報を第２記憶部２１７に記憶した情報である。つまり、第２のバックライト輝度情報とは、元の表示映像の映像信号に基づくバックライト輝度情報である。なお、第２のバックライト輝度情報は、表示制御装置１０１に入力される映像信号に基づいて、再算出されることはない。
【００２７】
バックライト輝度制御部２１２は、選択されたバックライト輝度情報に基づいてバックライトを点灯した場合の、隣接する制御領域への光の漏れ具合を考慮して、バックライト輝度分布情報を算出する。そして、バックライト輝度制御部２１２は、当該バックライト輝度分布情報を、映像信号補正部２１２へ出力する。映像信号補正部２１２は、入力されたバックライト輝度分布情報に基づいて、各制御領域で増減したバックライト輝度に応じて映像信号を補正し、映像出力部２１４へ出力する。映像出力部２１４は、入力された映像信号を液晶パネル２１８へ出力するとともに、点灯制御部２１５へ映像の垂直同期信号を出力する。点灯制御部２１５は、入力されたバックライト輝度情報から、点灯制御データを生成し、入力される映像の垂直同期信号に同期し、バックライト２１９の点灯制御を行う。
【００２８】
次に映像処理装置１００としてのＰＣの動作について説明する。図２は、本実施例における映像処理装置の動作を説明するためのフローチャートであり、図２を用いて説明する。ユーザがＰＣのＯＳへのログイン操作を行うと、ＰＣは操作検出部２００の処理を開始し、本フローチャートは開始される。
【００２９】
Ｓ３０１で、操作検出部２００は、ある映像の表示中に、ＵＳＢで接続されたマウス、キーボードのユーザによる無操作の状態を検出する。Ｓ３０２で、操作検出部２００は、タイマー（不図示）により無操作時間をカウントし、一定時間、ユーザ操作が無い場合、モード変更部２０１へ無操作情報を出力する（Ｓ３０２でＹｅｓ）。
【００３０】
Ｓ３０３で、モード変更部２０１は、無操作情報の通知を受けて、スクリーンセーバー映像の生成を開始するようにモード管理部２０２に対して指示する。Ｓ３０４で、モード管理部２０２は、スクリーンセーバー映像の表示の開始指示を受けて、通信制御部２０３へスクリーンセーバーモードのオン情報を通知する。Ｓ３０５で、モード管理部２０２は、スクリーンセーバー映像の映像信号を生成するよう、映像生成部２０４に指示する。そして、スクリーンセーバー映像の映像信号が、映像生成部２０４から映像出力部２０５に出力される。その後、スクリーンセーバー映像の映像信号が、表示制御装置１０１に出力され、前述のような所定の処理がなされた後に、表示部１０４にスクリーンセーバー映像が表示される。
【００３１】
Ｓ３０６で、スクリーンセーバーモードに遷移後、操作検出部２００が、ＵＳＢで接続されたマウスやキーボードのユーザ操作の状態を検出した場合（Ｓ３０６でＹｅｓ）、モード変更部２０１へユーザ操作の再開に関する情報を出力する。Ｓ３０７で、モード変更部２０１は、ユーザ操作の再開情報を受け取ると、スクリーンセーバー映像の表示を終了するようにモード管理部２０２に対して指示する。Ｓ３０８で、モード管理部２０２は、スクリーンセーバー映像の表示終了の指示を受けて、スクリーンセーバーモードのオフ情報を通信制御部２０３に対して通知する。また、モード管理部２０２は、スクリーンセーバー映像の映像信号の表示制御装置１０１への出力を停止するよう、映像出力部２０５に対して要求する。そして、Ｓ３０９で、映像出力部２０５は、スクリーンセーバー映像の映像信号の表示制御装置１０１への出力停止後、元の表示映像の映像信号を出力する。
【００３２】
次に表示制御装置１０１のバックライト輝度の選択処理について説明する。図３は、第１の実施例における表示制御装置１０１のバックライト輝度選択処理を説明するためのフローチャートであり、図３を用いて説明する。ＰＣから、スクリーンセーバーモードのオン／オフに関する情報が入力されてから、本フローチャートは開始される。
【００３３】
Ｓ４０１で、バックライト輝度決定部２０８は、通知されたスクリーンセーバーモードがオンかオフかを判定する。スクリーンセーバーモードがオフの場合（Ｓ４０１でＮｏ）、Ｓ４０６で、バックライト輝度決定部２０８は、第１のバックライト輝度情報を選択する。Ｓ４０２で、バックライト輝度決定部２０８は、スクリーンセーバーモードがオンの場合（Ｓ４０１でＹｅｓ）、画質モードが医療コンテンツ表示モードであるか否かを判定する。医療コンテンツ表示モードでない場合（Ｓ４０２でＮｏ）、Ｓ４０６で、バックライト輝度決定部２０８は、第１のバックライト輝度情報を選択し、スクリーンセーバー映像の映像信号に基づいて、輝度を求める。画質モードが医療コンテンツ表示モード場合（Ｓ４０２でＹｅｓ）、Ｓ４０３で、バックライト輝度決定部２０８は、スクリーンセーバー映像が表示制御装置１０１に入力される直前まで、表示制御装置１０１に入力されていた映像の映像信号に基づく第１のバックライト輝度情報を、第２記憶部２１７に第２のバックライト輝度情報として記憶させる。
【００３４】
そして、Ｓ４０４で、バックライト輝度決定部２０８は、バックライト輝度制御部２１２に対して、第２のバックライト輝度情報に基づいてバックライト輝度を制御するように指示する。そして、Ｓ４０５で、バックライト輝度決定部２０８は、第２のバックライト輝度情報に切り替えられた後、時間のカウントを開始し、一定時間が経過したか判定する。そして、Ｓ４０６で、所定の一定時間が経過すれば、バックライト輝度決定部２０８は、バックライト輝度制御部２１２に対して、第１のバックライト輝度情報に基づいてバックライト輝度を制御するように指示する。第１のバックライト輝度情報は、表示制御装置１０１に入力されているスクリーンセーバー映像の映像信号に基づき算出される輝度情報である。ここでは、所定の一定時間が経過した場合は、ユーザが元の映像の画質の状態を忘れている可能性が高いため、Ｓ４０６のような制御を行う。このような場合には、スクリーンセーバーモードへの遷移前の表示映像と、スクリーンセーバーモードからの復帰後の表示画像との画質を合わせなくてもよい可能性が高い。そのため、Ｓ４０６のような制御を行えば、スクリーンセーバー映像の画質を向上させることができる。なお、第２のバックライト輝度情報に基づくバックライト輝度を維持し続けてもよい。Ｓ４０６における指示が完了すれば、バックライト輝度の選択処理を終了する。
【００３５】
本実施例では、上述のように、元の表示映像に対するバックライト輝度と、スクリーンセーバー映像に対するバックライト輝度が同一になる。つまり、スクリーンセーバーモードへの遷移時に、スクリーンセーバー映像の映像信号に基づいたバックライト輝度制御がなされない。そのため、スクリーンセーバー映像から元の表示映像への復帰時において、復帰直後の元の表示映像に対するバックライト２１９の光源は、温度変化が少ない状態である。それ故、復帰直後の元の表示映像に対するバックライト光源の温度が、遷移前の表示映像と略同等の温度に安定して維持される状態となる。その結果、スクリーンセーバー映像から元の表示映像への復帰時において、復帰直後から当該表示映像における画質を安定させることができ、当該表示映像を高画質で表示することが可能となる。
【００３６】
本実施例では、バックライト輝度決定部２０８は、第１記憶部２１６と第２記憶部２１６に記憶される、第１のバックライト輝度情報と第２のバックライト輝度情報のどちらかを選択するようにしたが、これに限られない。１つの記憶部を用い、１つのバックライト輝度情報のみで、バックライト輝度を決定してもよい。具体的には、スクリーンセーバー映像の映像信号が表示制御装置１０１に入力される際、スクリーンセーバー映像に対するバックライト輝度の算出を停止する。そして、遷移前の映像のバックライト輝度情報を、自動的にスクリーンセーバー映像に適用するように制御を行う。この場合であっても、スクリーンセーバー映像から元の表示映像への復帰時において、復帰直後から当該表示映像における画質を安定させることができ、当該表示映像を高画質に表示することが可能となる。
【００３７】
また、本実施例において第２のバックライト輝度情報を選択する場合、元の表示画像に対するバックライトの発光状態の影響により、スクリーンセーバー映像の画質に影響を及ぼすおそれがある。具体的には、バックライト２１９の制御領域によっては、バックライト輝度が十分な領域、不十分な領域が発生し、スクリーンセーバー映像に輝度ムラが発生する場合がある。このような場合、映像信号補正部２１２が、スクリーンセーバー映像に不自然な輝度ムラが出ないように、スクリーンセーバー映像の映像信号を補正すればよい。こうすることで、スクリーンセーバー映像の輝度ムラを防止することができ、スクリーンセーバー映像の画質を向上させることができる。
【００３８】
また、本実施例では、映像信号に黒信号が含まれる場合でも、バックライト輝度制御部２１２はバックライト輝度を白信号の５分の１程度とするようにしたが、０にしてもよい。更に、バックライト輝度を０にした場合には、映像を表示できない制御領域が生じる。このような場合には、表示制御装置１０１から映像処理装置１００へバックライト輝度が０ではない領域（映像を表示できる領域）を通知し、当該領域のみにスクリーンセーバー映像を表示するようにしてもよい。
【００３９】
また、モード管理部２０２が、バックライト輝度決定部２０８からバックライト輝度選択の完了通知応答を受けてから、スクリーンセーバー映像の映像信号を映像生成部２０４から映像出力部２０５に出力するようにしてもよい。そうすることで、バックライト輝度の切り換えとスクリーンセーバー映像表示のタイミングの同期を取ることができる。
【００４０】
また、本実施例では、元の表示映像に対するバックライト輝度と、スクリーンセーバー映像に対するバックライト輝度とが同一になるように、スクリーンセーバー映像に対するバックライト輝度の制御を行ったが、これに限られない。スクリーンセーバーモードへの遷移時において、バックライト光源の温度が低い状態に低下しないようにすれば、元の表示映像に対するバックライト輝度と、スクリーンセーバー映像に対するバックライト輝度とを同一にしなくてもよい。例えば、バックライト光源の温度低下を防止するために、スクリーンセーバー映像に対するバックライト輝度を、元の表示映像に対するバックライト輝度に近い輝度とすればよい。このとき、スクリーンセーバー映像に対するバックライト輝度は、元の表示映像に対するバックライト輝度よりも低くてもよいし、高くてもよい。このような構成により、スクリーンセーバー映像から元の表示映像への復帰時において、復帰直後から当該表示映像における画質を安定させることができ、当該表示映像を高画質で表示することが可能となる。
【００４１】
また、本実施例では、ローカルディミング制御がなされる場合について説明したが、これに限られない。ローカルディミング制御がなされない表示装置のバックライト制御に対しても、本実施例と同様の処理を行うことができる。
【００４２】
＜実施例２＞
実施例１では、映像がスクリーンセーバーモードに遷移した場合の実施例について説明した。実施例２では、静止画コンテンツに基づく映像を表示部１０４に表示させるまでに時間を要し、当該映像が表示部１０４に表示されるまでの間、表示部１０４に黒映像を表示させる場合について説明する。以下、実施例１との差異を中心に説明する。
【００４３】
図４は、映像処理装置１００と表示制御装置１０１の構成例を示す機能ブロック図である。映像処理装置１００は、ビューアアプリケーション（以下ビューア）５００、通信制御部２０３、映像出力部２０５を備える。ビューア５００は、ビューア映像信号生成部５０１とビューアモード管理部５０２とを備える。また、ビューア５００は、例えば、マウスなどによるユーザ操作によって、表示部１０４に表示するように選択（表示選択）された静止画コンテンツに基づく映像信号を映像出力部２０５に出力する。そして、ビューア５００は、静止画コンテンツの切り換え時には、次の静止画コンテンツを表示する準備が整うまで、黒映像の映像信号を映像出力部２０５に出力する（映像表示待機モードが実行される）。ここで、静止画コンテンツは、接続されたデバイスやその他の外部装置との通信によって取得したものであってもよい。また、静止画コンテンツは、映像処理装置１００の蓄積部（不図示）に蓄積したものであってもよい。また静止画コンテンツは、例えばＪＰＥＧ（Ｊｏｉｎｔ  Ｐｈｏｔｏｇｒａｐｈｉｃ  Ｅｘｐｅｒｔｓ  Ｇｒｏｕｐ）で圧縮符号化されたものでもよいし、未圧縮のものでもあってもよい。
【００４４】
ビューア映像信号生成部５０１は、表示部１０４に表示選択された静止画コンテンツに従い、デコード処理された映像信号を生成する。また、ビューア映像信号生成部５０１は、映像信号の生成を開始する場合、ビューアモード管理部５０２に対して映像信号生成の開始情報を通知する。そして、ビューア映像信号生成部５０１は、静止画コンテンツが切り換えられ、前記映像信号の生成を終了する場合、ビューアモード管理部５０２へ映像信号生成の終了情報を通知する。
【００４５】
ビューアモード管理部５０２は、ビューア映像信号生成部５０１から、映像信号生成の開始情報、または、映像信号生成の終了情報を通知された場合、黒映像表示モードのオン／オフに関する情報を通信制御部２０３に対して通知する。以下、映像表示モードのオン／オフに関する情報を、それぞれオン情報、オフ情報という。また、ビューアモード管理部５０２は、ビューア映像信号生成部５０１から、映像信号生成の開始情報の通知を受けると、黒映像の映像信号を映像出力部２０５に出力する。そして、ビューアモード管理部５０２は、ビューア映像信号生成部５０１から、映像信号生成の終了情報の通知を受けると、ビューア映像信号生成部５０１で生成した映像信号を、映像出力部２０５に対して出力する。そして、映像信号は、映像出力部２０５から表示制御部１０１に出力される。
【００４６】
通信制御部２０３は、データ信号線１０３を介して、映像処理装置１００の黒映像表示モードのオン情報を、表示制御装置１０１側の通信制御部２０６に対して送信する。表示制御装置１０１側の通信制御部２０６は、受信した黒映像表示モードのオン情報をバックライト輝度決定部２０８へ通知する。バックライト輝度決定部２０８は、入力した黒映像表示モードのオン情報と画質モードに従い、後述するバックライト輝度制御部２１２で用いるバックライト輝度情報を選択する。
【００４７】
次に、映像処理装置１００としてのＰＣの動作について説明する。図５は、本実施例における映像処理装置の動作を説明するためのフローチャートであり、図５を用いて説明する。ユーザが静止画コンテンツを選択し、表示操作を行うと、本フローチャートは開始される。
【００４８】
Ｓ６０１で、ビューア映像信号生成部５０１は、表示選択された静止画コンテンツに従い、デコード処理された映像信号の生成を開始する。Ｓ６０２で、ビューア映像信号生成部５０１は、ビューアモード管理部５０２に対して、映像信号生成の開始情報を通知する。ビューアモード管理部５０２は、映像信号生成の開始情報の通知を受け、通信制御部２０３へ黒映像表示モードのオン情報を通知する。Ｓ６０３で、ビューアモード管理部５０２は、映像信号生成の開始情報の通知を受け、黒映像の映像信号を映像出力部２０５に出力する。
【００４９】
Ｓ６０４で、ビューア映像信号生成部５０１は、映像信号生成の終了を待つ。Ｓ６０５で、映像信号生成の終了後、ビューア映像信号生成部５０１は、ビューアモード管理部５０２へ映像信号生成の終了情報を通知する。ビューアモード管理部５０２は、映像信号生成の終了情報の通知を受け、通信制御部２０３へ黒映像表示モードのオフ情報を通知する。そして、ビューアモード管理部５０２は、映像信号生成の終了情報の通知を受け、映像出力部２０５へビューア映像信号生成部５０１で生成した映像信号を出力する。その後、Ｓ６０６で、当該映像信号が映像出力部２０５から表示制御装置１０１に出力され、上述の所定の処理がなされた後に、静止画コンテンツに基づく映像が表示部１０４に表示される。
【００５０】
次に表示制御装置１０１のバックライト輝度選択処理について説明する。図６は、第２の実施例における表示制御装置のバックライト輝度選択処理を説明するためのフローチャートであり、図６を用いて説明する。ＰＣから黒映像表示モードのオン／オフに関する情報が表示制御装置１０１に入力されると、本フローチャートは開始される。
【００５１】
Ｓ７０１で、バックライト輝度決定部２０８は、通知された黒映像表示モードがオンかオフかを判定する。Ｓ７０５で、黒映像表示モードがオフの場合（Ｓ７０１でＮｏ）、バックライト輝度決定部２０８は、表示映像に基づく第１のバックライト輝度情報を選択する。Ｓ７０２で、黒映像表示モードがオンの場合（Ｓ７０１でＹｅｓ）、バックライト輝度決定部２０８は、画質モードが医療コンテンツ表示モードかどうかを判定する。Ｓ７０５で、画質モードが医療コンテンツ表示モードでない場合（Ｓ７０２でＮｏ）、バックライト輝度決定部２０８は、黒映像の映像信号に基づいた第１のバックライト輝度情報を選択する。Ｓ７０３で、画質モードが医療コンテンツ表示モードの場合（Ｓ７０２でＹｅｓ）、バックライト輝度決定部２０８は、黒映像の表示前に表示部１０４に表示されていた静止画コンテンツの映像信号に基づく第１のバックライト輝度情報を、第２記憶部２１７に第２のバックライト輝度情報として記憶させる。そして、Ｓ７０４で、バックライト輝度決定部２０８は、第２のバックライト輝度情報を、黒映像に対するバックライト輝度情報として選択する。
【００５２】
実施例２では、上述のように、黒映像を表示させる場合に、黒映像の表示前の静止画コンテンツの映像のバックライト輝度を維持して、それを黒映像に対するバックライト輝度として適用し、バックライト２１９を発光させる。そのため、黒映像の表示時に、バックライトの光源の温度が大きく低下することがない。それ故、表示直後の静止画コンテンツの映像に対するバックライト２１９の光源の温度を所望の温度に上げるための時間を、大幅に短縮することができる。その結果、黒映像から静止画コンテンツの映像が表示される場合、当該映像の表示直後から、当該映像における画質を安定させることができ、当該表示映像を高画質で表示させることが可能となる。
【００５３】
なお、本実施例では、黒映像表示させる場合について説明したが、これに限られない。例えば、黒映像の代わりに、全体的に暗い色のアニメーションの映像が表示される場合であっても、本実施例の制御を行えば、同様の効果を得ることができる。
【００５４】
以上、図面を参照しながら本発明の好ましい実施形態について説明したが、本発明は係る例に限定されない。例えば、実施例１、２では、画質モードが医療コンテンツ表示モードでない場合に、上述の制御を行ったが、これに限られない。画質モードが、テキスト表示モードや静止映像表示モードなどの場合であっても、実施例１、２の制御を適用できる。
【００５５】
また、実施例１、２ではそれぞれ、スクリーンセーバーモード時や、静止画コンテンツの映像表示前に、黒映像やアニメーションの映像を表示させているが、映像を表示させないようにしてもよい。具体的には、スクリーンセーバーモード時や、静止画コンテンツの映像表示前に、映像信号を表示制御装置１０１に出力しないようにしてもよい。この場合、スクリーンセーバーモードへの遷移前の映像、もしくは、これから表示予定の静止画コンテンツの映像に基づくバックライト輝度情報から、バックライト２１９を発光させればよい。
【００５６】
また、実施例１、２では、デコード処理を映像処理装置１００で行ったが、これに限られない。例えば、ＵＳＢなどを介して、外部メモリから映像データが入力される場合は、表示制御装置１０１で、映像データにデコード処理を施してもよい。
【００５７】
また、実施例１、２における映像は、静止画コンテンツに基づく映像であるが、動画コンテンツに基づく映像であってもよい。例えば、被写体が動きの少ない風景などの動画であれば、バックライト２１９の発光状態は、ほとんど変わらない。そのため、動画コンテンツに基づく映像に対しても、実施例１、２の制御を適用できる。
【符号の説明】
【００５８】
１００  映像処理装置
１０１  表示制御装置
１０２  映像信号線
１０３  データ信号線
１０４  表示部
２００  操作検出部
２０１  モード変更部
２０２  モード管理部
２０３  通信制御部
２０４  映像生成部
２０５  映像出力部
２０６  通信制御部
２０７  画質モード設定部
２０８  バックライト輝度決定部
２０９  映像信号入力部
２１０  画質制御部
２１２  バックライト輝度制御部
２１３  映像信号補正部
２１４  映像出力部
２１５  点灯制御部
２１６  第１のバックライト輝度情報記憶部
２１７  第２のバックライト輝度情報記憶部
２１８  液晶パネル
２１９  バックライト
【図１】
2014044292.tif 000003
【図２】
2014044292.tif 000004
【図３】
2014044292.tif 000005
【図４】
2014044292.tif 000006
【図５】
2014044292.tif 000007
【図６】
2014044292.tif 000008
【図７】
2014044292.tif 000009